(57)【要約】【課題】「Ｆｕｌｌ  ｃｏｎｆｉｇｕｒａｔｉｏｎ」を伴うハンドオーバ手順及び再接続手順において、ハンドオーバ先無線基地局Ｔ-ｅＮＢは、移動局ＵＥに対する下りリンクにおけるスケジューリング処理を開始する。【解決手段】本発明に係る移動通信方法は、ハンドオーバ手順において、無線基地局ｅＮＢ＃２が、かかるハンドオーバ手順が「Ｆｕｌｌ  ｃｏｎｆｉｇｕｒａｔｉｏｎ」を伴うハンドオーバ手順であると判断した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始する工程を有する。【選択図】図３
2015080036.tif 000002
【特許請求の範囲】
【請求項１】
移動局の第１無線基地局配下のセルから第２無線基地局配下のセルへのハンドオーバ手順を実行する移動通信方法であって、
前記ハンドオーバ手順において、前記第２無線基地局が、前記第１無線基地局で用いられていた全ての設定を一旦削除する必要があると判断した場合に、前記移動局からのステータスレポートの受信を待つことなく、該移動局に対する下りリンクスケジューリングを開始する工程を有することを特徴とする移動通信方法。
【請求項２】
移動局の第１無線基地局配下のセルから第２無線基地局配下のセルへの再接続手順を実行する移動通信方法であって、
前記再接続手順において、前記第２無線基地局が、前記第１無線基地局で用いられていた全ての設定を一旦削除する必要があると判断した場合に、前記移動局からのステータスレポートの受信を待つことなく、該移動局に対する下りリンクスケジューリングを開始する工程を有することを特徴とする移動通信方法。
【請求項３】
移動局の第１無線基地局配下のセルから第２無線基地局配下のセルへのハンドオーバ手順を実行することができるように構成されている移動通信システムにおいて該第２無線基地局として動作することができる無線基地局であって、
前記ハンドオーバ手順において、前記第１無線基地局で用いられていた全ての設定を一旦削除する必要があると判断した場合に、前記移動局からのステータスレポートの受信を待つことなく、該移動局に対する下りリンクスケジューリングを開始するように構成されているスケジューリング部を具備することを特徴とする無線基地局。
【請求項４】
移動局の第１無線基地局配下のセルから第２無線基地局配下のセルへの再接続手順を実行することができるように構成されている移動通信システムにおいて該第２無線基地局として動作することができる無線基地局であって、
前記再接続手順において、前記第１無線基地局で用いられていた全ての設定を一旦削除する必要があると判断した場合に、前記移動局からのステータスレポートの受信を待つことなく、該移動局に対する下りリンクスケジューリングを開始するように構成されているスケジューリング部を具備することを特徴とする無線基地局。
【請求項５】
前記スケジューリング部は、前記第１無線基地局から受信したハンドオーバ要求信号に含まれるリリース情報に基づいて、該第１無線基地局が前記無線基地局よりも新しいリリースであると判断した場合に、該第１無線基地局で用いられていた全ての設定を一旦削除する必要があると判断するように構成されていることを特徴とする請求項３に記載の無線基地局。
【請求項６】
前記スケジューリング部は、前記第１無線基地局から受信したハンドオーバ要求信号によって前記無線基地局において対応されていない設定情報が通知された場合に、該第１無線基地局で用いられていた全ての設定を一旦削除する必要があると判断するように構成されていることを特徴とする請求項３に記載の無線基地局。
【請求項７】
前記スケジューリング部は、前記ハンドオーバ手順において、ＲＬＣ-ＡＭがマッピングされているベアラに対して下りパスの識別子が指定されていない場合に、該第１無線基地局で用いられていた全ての設定を一旦削除する必要があると判断するように構成されていることを特徴とする請求項３に記載の無線基地局。
【請求項８】
前記スケジューリング部は、ランダムアクセス手順が完了した場合に、前記移動局からのステータスレポートの受信を待つことなく、該移動局に対する下りリンクスケジューリングを開始するように構成されていることを特徴とする請求項３乃至７のいずれか一項に記載の無線基地局。
【請求項９】
前記スケジューリング部は、前記ハンドオーバ手順が完了した場合に、前記移動局からのステータスレポートの受信を待つことなく、該移動局に対する下りリンクスケジューリングを開始するように構成されていることを特徴とする請求項３、５乃至７のいずれか一項に記載の無線基地局。
【請求項１０】
前記スケジューリング部は、前記再接続手順が完了した場合に、前記移動局からのステータスレポートの受信を待つことなく、該移動局に対する下りリンクスケジューリングを開始するように構成されていることを特徴とする請求項４に記載の無線基地局。
【請求項１１】
前記スケジューリング部は、前記第１無線基地局からの前記移動局用の下りデータの転送が完了した場合に、該移動局からのステータスレポートの受信を待つことなく、該移動局に対する下りリンクスケジューリングを開始するように構成されていることを特徴とする請求項３、５乃至７のいずれか一項に記載の無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、ＰＤＣＰ（Ｐａｃｋｅｔ  Ｄａｔａ  Ｃｏｎｖｅｒｇｅｎｃｅ  Ｐｒｏｔｏｃｏｌ）レイヤでの不要な再送を抑制し、リソース利用効率の低下を防ぐために、「ＰＤＣＰ  ｓｔａｔｕｓ  ｒｅｐｏｒｔｉｎｇ」が採用されている。
【０００３】
ハンドオーバ手順や再接続手順（Ｒｅ-ｅｓｔａｂｌｉｓｈｍｅｎｔ手順）が行われる場合、送信側のＰＤＣＰエンティティは、ＲＬＣ（Ｒａｄｉｏ  Ｌｉｎｋ  Ｃｏｎｔｒｏｌ）レイヤでＡＣＫが受信されていないＰＤＣＰ-ＰＤＵから再送を行うように構成されている。
【０００４】
これに対して、受信側のＰＤＣＰエンティティは、ハンドオーバ手順や再接続手順に伴い、送信側のＰＤＣＰエンティティに対して、「ＰＤＣＰ  ｓｔａｔｕｓ  ｒｅｐｏｒｔｉｎｇ」を行うことで、すなわち、ＰＤＣＰ-ＰＤＵの受信状況を報告することで、ハンドオーバ手順や再接続手順が起動された時点  における送信側のＰＤＣＰエンティティからの不要なＰＤＣＰ-ＰＤＵの再送を抑制することができる。
【０００５】
特に、下りリンクの場合、無線基地局ｅＮＢが、ハンドオーバ手順や再接続手順の後におけるＰＤＣＰ-ＰＤＵの重複した再送を可能な限り避けるために、移動局ＵＥからの「ＰＤＣＰ  ｓｔａｔｕｓ  ｒｅｐｏｒｔ」を受信してから、下りリンクにおけるスケジューリング処理を開始するという制御が行われることが考えられる。
【０００６】
ここで、「ＰＤＣＰ  ｓｔａｔｕｓ  ｒｅｐｏｒｔ」によって、「ＦＭＳ（Ｆｉｒｓｔ  Ｍｉｓｓｉｎｇ  Ｓｅｑｕｅｎｃｅ  ｎｕｍｂｅｒ）」や「Ｂｉｔｍａｐ」等が報告される。
【０００７】
ここで、「ＦＭＳ」は、移動局ＵＥにおいて未受信の最も古いＰＤＣＰ-ＰＤＵのシーケンス番号（ＰＤＣＰ-ＳＮ）であり、「Ｂｉｔｍａｐ」は、「「ＦＭＳ」によって特定されるＰＤＣＰ-ＰＤＵに後続するＰＤＣＰ-ＰＤＵの受信状況を報告するビットマップ（０又は１）である。
【０００８】
例えば、図５（ａ）に示すように、無線基地局ｅＮＢ＃１が、移動局ＵＥに対して、「ＰＤＣＰ-ＳＮ＝０〜１０」のＰＤＣＰ-ＰＤＵの送信を完了し、移動局ＵＥが、「ＰＤＣＰ-ＳＮ＝０〜５」のＰＤＣＰ-ＰＤＵの受信を完了した状態で、移動局ＵＥの無線基地局ｅＮＢ＃１配下のセルから無線基地局ｅＮＢ＃２配下のセルへのハンドオーバ手順が行われるものとする。
【０００９】
かかるハンドオーバ手順では、図５（ｂ）に示すように、無線基地局ｅＮＢ＃１が、無線基地局ｅＮＢ＃２に対して、「ＰＤＣＰ-ＳＮ＝０〜１０」のＰＤＣＰ-ＰＤＵを転送する。
【００１０】
ここで、無線基地局ｅＮＢ＃２は、移動局ＵＥからの「ＰＤＣＰ  ｓｔａｔｕｓ  ｒｅｐｏｒｔ」を受信するまで、移動局ＵＥに対する下りリンクにおけるスケジューリング処理を延期する。
【００１１】
無線基地局ｅＮＢ＃２は、図５（ｃ）に示すように、移動局ＵＥから、「ＰＤＣＰ-ＳＮ＝０〜５」のＰＤＣＰ-ＰＤＵの受信を完了した旨を報告する「ＰＤＣＰ  ｓｔａｔｕｓ  ｒｅｐｏｒｔ」を受信すると、図５（ｄ）に示すように、移動局ＵＥに対する下りリンクにおけるスケジューリング処理を開始する（すなわち、「ＰＤＣＰ-ＳＮ＝６〜１０」のＰＤＣＰ-ＰＤＵを送信する。
【００１２】
また、ＬＴＥ方式において、無線基地局ｅＮＢごとに、対応しているＲｅｌｅａｓｅや機能が異なり得る。
【００１３】
したがって、対応しているＲｅｌｅａｓｅや機能が異なる無線基地局ｅＮＢ間でハンドオーバ手順が行われる場合には、無線基地局ｅＮＢと移動局ＵＥとの間で設定（ｃｏｎｆｉｇｕｒａｔｉｏｎ）の齟齬がないように制御する必要がある。
【００１４】
基本的には、「ＨＯ  ｃｏｍｍａｎｄ」内に、ハンドオーバ先無線基地局Ｔ-ｅＮＢによって「ｄｅｌｔａ  ｃｏｎｆｉｇｕｒａｔｉｏｎ（現在の設定との差分）」が設定されるため、ハンドオーバ元無線基地局Ｓ-ｅＮＢが対応しているＲｅｌｅａｓｅが、ハンドオーバ先無線基地局Ｔ-ｅＮＢが対応しているＲｅｌｅａｓｅよりも新しい場合であっても、ハンドオーバ先無線基地局Ｔ-ｅＮＢが、ハンドオーバ元無線基地局Ｓ-ｅＮＢにおける設定を削除しないまま、移動局ＵＥを制御することになるため、呼制御の観点から好ましくない。
【００１５】
そこで、ＬＴＥ方式では、移動局ＵＥとハンドオーバ先無線基地局Ｔ-ｅＮＢとの間で設定の齟齬がないように、ハンドオーバ手順が行われる際に、ハンドオーバ元無線基地局Ｓ-ｅＮＢにおける設定を全て一旦削除するための「Ｆｕｌｌ  ｃｏｎｆｉｇｕｒａｔｉｏｎ」が規定された（非特許文献１及び２参照）。
【００１６】
ここで、移動局ＵＥは、「Ｆｕｌｌ  ｃｏｎｆｉｇｕｒａｔｉｏｎ」を含む「ＨＯ  ｃｏｍｍａｎｄ」を受信すると、全ての設定を一旦削除する（ベアラも解放する）。
【先行技術文献】
【非特許文献】
【００１７】
【非特許文献１】３ＧＰＰ  ＴＳ３６.３００
【非特許文献２】３ＧＰＰ  ＴＳ３６.３３１
【発明の概要】
【発明が解決しようとする課題】
【００１８】
しかしながら、既存のＬＴＥ方式では、「Ｆｕｌｌ  ｃｏｎｆｉｇｕｒａｔｉｏｎ」を伴うハンドオーバ手順及び再接続手順において、ハンドオーバ先無線基地局Ｔ-ｅＮＢは、移動局ＵＥに対する下りリンクにおけるスケジューリング処理を開始することができないという問題点があった。
【００１９】
具体的には、図６に示すように、「Ｆｕｌｌ  ｃｏｎｆｉｇｕｒａｔｉｏｎ」を伴うハンドオーバ手順及び再接続手順において、移動局ＵＥは、ハンドオーバ元無線基地局Ｓ-ｅＮＢと間の設定及びベアラを一旦削除して新規に追加することになるため、かかるハンドオーバ手順及び再接続手順後に、ハンドオーバ先無線基地局Ｔ-ｅＮＢに対して、「ＰＤＣＰ  ｓｔａｔｕｓ  ｒｅｐｏｒｔ」を送信しない。
【００２０】
したがって、ハンドオーバ先無線基地局Ｔ-ｅＮＢは、いつまでたっても移動局ＵＥに対する下りリンクにおけるスケジューリング処理を開始することができず、下りリンクにおけるスループットが低下してしまうという問題点があった。
【００２１】
そこで、本発明は、上述の課題に鑑みてなされたものであり、「Ｆｕｌｌ  ｃｏｎｆｉｇｕｒａｔｉｏｎ」を伴うハンドオーバ手順及び再接続手順において、ハンドオーバ先無線基地局Ｔ-ｅＮＢは、移動局ＵＥに対する下りリンクにおけるスケジューリング処理を開始することができる移動通信方法及び無線基地局を提供することを目的とする。
【課題を解決するための手段】
【００２２】
本発明の第１の特徴は、移動局の第１無線基地局配下のセルから第２無線基地局配下のセルへのハンドオーバ手順を実行する移動通信方法であって、前記ハンドオーバ手順において、前記第２無線基地局が、前記第１無線基地局で用いられていた全ての設定を一旦削除する必要があると判断した場合に、前記移動局からのステータスレポートの受信を待つことなく、該移動局に対する下りリンクスケジューリングを開始する工程を有することを要旨とする。
【００２３】
本発明の第２の特徴は、移動局の第１無線基地局配下のセルから第２無線基地局配下のセルへの再接続手順を実行する移動通信方法であって、前記再接続手順において、前記第２無線基地局が、前記第１無線基地局で用いられていた全ての設定を一旦削除する必要があると判断した場合に、前記移動局からのステータスレポートの受信を待つことなく、該移動局に対する下りリンクスケジューリングを開始する工程を有することを要旨とする。
【００２４】
本発明の第３の特徴は、移動局の第１無線基地局配下のセルから第２無線基地局配下のセルへのハンドオーバ手順を実行することができるように構成されている移動通信システムにおいて該第２無線基地局として動作することができる無線基地局であって、前記ハンドオーバ手順において、前記第１無線基地局で用いられていた全ての設定を一旦削除する必要があると判断した場合に、前記移動局からのステータスレポートの受信を待つことなく、該移動局に対する下りリンクスケジューリングを開始するように構成されているスケジューリング部を具備することを要旨とする。
【００２５】
本発明の第４の特徴は、移動局の第１無線基地局配下のセルから第２無線基地局配下のセルへの再接続手順を実行することができるように構成されている移動通信システムにおいて該第２無線基地局として動作することができる無線基地局であって、前記再接続手順において、前記第１無線基地局で用いられていた全ての設定を一旦削除する必要があると判断した場合に、前記移動局からのステータスレポートの受信を待つことなく、該移動局に対する下りリンクスケジューリングを開始するように構成されているスケジューリング部を具備することを要旨とする。
【発明の効果】
【００２６】
以上説明したように、本発明によれば、「Ｆｕｌｌ  ｃｏｎｆｉｇｕｒａｔｉｏｎ」を伴うハンドオーバ手順及び再接続手順において、ハンドオーバ先無線基地局Ｔ-ｅＮＢは、移動局ＵＥに対する下りリンクにおけるスケジューリング処理を開始することができる移動通信方法及び無線基地局を提供することができる。
【図面の簡単な説明】
【００２７】
【図１】本発明の第１の実施形態に係る移動通信システムの全体構成図である。
【図２】本発明の第１の実施形態に係る無線基地局ｅＮＢ＃２の機能ブロック図である。
【図３】本発明の第１の実施形態に係る移動通信システムの動作を説明するための図である。
【図４】本発明の第１の実施形態に係る無線基地局ｅＮＢ＃２の動作を示すフローチャートである。
【図５】従来技術を説明するための図である。
【図６】従来技術を説明するための図である。
【発明を実施するための形態】
【００２８】
（本発明の第１の実施形態に係る移動通信システム）
図１乃至図４を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００２９】
図１に示すように、本実施形態に係る移動通信システムは、無線基地局ｅＮＢ＃１と、無線基地局ｅＮＢ＃２とを具備している。
【００３０】
本実施形態に係る移動通信システムでは、移動局ＵＥの無線基地局ｅＮＢ＃１配下のセルから無線基地局ｅＮＢ＃２配下のセルへのハンドオーバ手順或いは再接続手順が実行されるケースを想定する。
【００３１】
図２に示すように、本実施形態に係る無線基地局ｅＮＢ＃２は、制御部１１と、スケジューリング部１２と、送信部１３と、受信部１４とを具備している。
【００３２】
制御部１１は、移動局ＵＥとの間の通信に係る制御（例えば、上述のハンドオーバ手順や再接続手順に係る制御）を行うように構成されている。
【００３３】
スケジューリング部１２は、移動局ＵＥに対するスケジューリング処理を行うように構成されている。
【００３４】
送信部１３は、移動局ＵＥや無線基地局ｅＮＢ＃１に対して各種信号を送信するように構成されており、受信部１４は、移動局ＵＥや無線基地局ｅＮＢ＃１から各種信号を受信するように構成されている。
【００３５】
例えば、受信部１４は、移動局ＵＥから、「ＰＤＣＰ  ｓｔａｔｕｓ  ｒｅｐｏｒｔ」を受信したり、無線基地局ｅＮＢ＃１から「ＨＯ  ｒｅｑｕｅｓｔ」を受信したりするように構成されている。
【００３６】
また、スケジューリング部１２は、上述のハンドオーバ手順において、かかるハンドオーバ手順が「Ｆｕｌｌ  ｃｏｎｆｉｇｕｒａｔｉｏｎ」を伴うハンドオーバ手順であると判断した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されている。
【００３７】
さらに、スケジューリング部１２は、上述の再接続手順において、かかる再接続手順が「Ｆｕｌｌ  ｃｏｎｆｉｇｕｒａｔｉｏｎ」を伴う再接続手順であると判断した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されている。
【００３８】
例えば、スケジューリング部１２は、無線基地局ｅＮＢ＃１から受信した「ＨＯ  ｒｅｑｕｅｓｔ」に含まれる「ＡＳ  ｒｅｌｅａｓｅ」に基づいて、無線基地局ｅＮＢ＃１が無線基地局ｅＮＢ＃２よりも新しいリリースであると判定した場合に、かかるハンドオーバ手順が「Ｆｕｌｌ  ｃｏｎｆｉｇｕｒａｔｉｏｎ」を伴うハンドオーバ手順であると判断するように構成されていてもよい。
【００３９】
また、スケジューリング部１２は、無線基地局ｅＮＢ＃１から受信した「ＨＯ  ｒｅｑｕｅｓｔ」によって無線基地局ｅＮＢ＃２において対応されていない「ｃｏｎｆｉｇｕｒａｔｉｏｎ」が通知された場合に、かかるハンドオーバ手順が「Ｆｕｌｌ  ｃｏｎｆｉｇｕｒａｔｉｏｎ」を伴うハンドオーバ手順であると判断するように構成されていてもよい。
【００４０】
或いは、スケジューリング部１２は、上述のハンドオーバ手順において、ＲＬＣ-ＡＭがマッピングされているベアラに対して下りパスの識別子が指定されていない場合（すなわち、下りリンクデータの転送を行わない場合）に、かかるハンドオーバ手順が「Ｆｕｌｌ  ｃｏｎｆｉｇｕｒａｔｉｏｎ」を伴うハンドオーバ手順であると判断するように構成されていてもよい。
【００４１】
また、スケジューリング部１２は、上述のハンドオーバ手順及び再接続手順において、ＲＡＣＨ（Ｒａｎｄｏｍ  Ａｃｃｅｓｓ  Ｃｈａｎｎｅｌ）手順が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００４２】
なお、ＲＡＣＨ手順の完了は、Ｍｓｇ２（ＲＡＲ  ｒｅｓｐｏｎｓｅ）で指定するＵＬ-ＳＣＨのＣＲＣ-ＯＫを以って検出されてもよい。
【００４３】
或いは、スケジューリング部１２は、上述のハンドオーバ手順及び再接続手順が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００４４】
さらに、スケジューリング部１２は、上述のハンドオーバ手順において、無線基地局ｅＮＢ＃１からの移動局ＵＥ用の下りデータの転送が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００４５】
以下、図３及び図４を参照して、本実施形態に係る移動通信システムの動作について説明する。
【００４６】
第１に、図３を参照して、本実施形態に係る移動通信システムにおいて移動局ＵＥの無線基地局ｅＮＢ＃１配下のセルから無線基地局ｅＮＢ＃２配下のセルへのハンドオーバ手順が実行される場合の動作の一例について説明する。
【００４７】
図３（ａ）に示すように、無線基地局ｅＮＢ＃１は、無線基地局ｅＮＢ＃２に対して、無線基地局ｅＮＢ＃１のリリース情報を通知するための「ＡＳ  ｒｅｌｅａｓｅ」を含む「ＨＯ  ｒｅｑｕｅｓｔ」を送信する。
【００４８】
図３（ｂ）に示すように、無線基地局ｅＮＢ＃２は、「Ｆｕｌｌ  ｃｏｎｆｉｇｕｒａｔｉｏｎ」を伴うハンドオーバ手順を行うことを決定し、無線基地局ｅＮＢ＃１に対して、「ＨＯ  ｒｅｑｕｅｓｔ  ＡＣＫ」を送信する。
【００４９】
図３（ｃ）に示すように、無線基地局ｅＮＢ＃２は、移動局ＵＥによるＲＡＣＨ手順が完了次第、移動局ＵＥからの「ＰＤＣＰ  ｓｔａｔｕｓ  ｒｅｐｏｒｔ」の受信を待つことなく、移動局ＵＥに対する下りリンクスケジューリングを開始する。
【００５０】
第２に、図４を参照して、本実施形態に係る移動通信システムにおいて移動局ＵＥの無線基地局ｅＮＢ＃１配下のセルから無線基地局ｅＮＢ＃２配下のセルへのハンドオーバ手順或いは再接続手順が実行される場合の無線基地局ｅＮＢ＃２の動作の一例について説明する。
【００５１】
図４に示すように、ステップＳ１０１において、無線基地局ｅＮＢ＃２は、ハンドオーバ手順或いは再接続手順が完了したか否かについて判定する。
【００５２】
「Ｙｅｓ」の場合、本動作は、ステップＳ１０２に進み、「Ｎｏ」の場合、本動作は、終了する。
【００５３】
ステップＳ１０２において、無線基地局ｅＮＢ＃２は、かかるハンドオーバ手順或いは再接続手順が「Ｆｕｌｌ  ｃｏｎｆｉｇｕｒａｔｉｏｎ」を伴うか否かについて、すなわち、移動局ＵＥからの「ＰＤＣＰ  ｓｔａｔｕｓ  ｒｅｐｏｒｔ」が期待できないか否かについて判定する。
【００５４】
「Ｙｅｓ」の場合、本動作は、ステップＳ１０４に進み、「Ｎｏ」の場合、本動作は、ステップＳ１０３に進む。
【００５５】
ステップＳ１０３において、無線基地局ｅＮＢ＃２は、移動局ＵＥから「ＰＤＣＰ  ｓｔａｔｕｓ  ｒｅｐｏｒｔ」を受信したか否かについて判定する。
【００５６】
「Ｙｅｓ」の場合、本動作は、ステップＳ１０４に進み、「Ｎｏ」の場合、本動作は、終了する。
【００５７】
ステップＳ１０４において、無線基地局ｅＮＢ＃２は、移動局ＵＥに対する下りリンクスケジューリングを開始する。
【００５８】
以上に述べた本実施形態の特徴は、以下のように表現されていてもよい。
【００５９】
本実施形態の第１の特徴は、移動局ＵＥの無線基地局ｅＮＢ＃１（第１無線基地局）配下のセルから無線基地局ｅＮＢ＃２（第２無線基地局）配下のセルへのハンドオーバ手順を実行する移動通信方法であって、かかるハンドオーバ手順において、無線基地局ｅＮＢ＃２が、かかるハンドオーバ手順が「Ｆｕｌｌ  ｃｏｎｆｉｇｕｒａｔｉｏｎ」を伴うハンドオーバ手順であると判断した場合（無線基地局ｅＮＢ＃１で用いられていた全ての設定を一旦削除する必要があると判断した場合）に、移動局ＵＥからの「ＰＤＣＰ  ｓｔａｔｕｓ  ｒｅｐｏｒｔ（ステータスレポート）」の受信を待つことなく、移動局ＵＥに対する下りリンクスケジューリングを開始する工程を有することを要旨とする。
【００６０】
かかる特徴によれば、「Ｆｕｌｌ  ｃｏｎｆｉｇｕｒａｔｉｏｎ」を伴うハンドオーバ手順において、ハンドオーバ先無線基地局である無線基地局ｅＮＢ＃２は、移動局ＵＥからの「ＰＤＣＰ  ｓｔａｔｕｓ  ｒｅｐｏｒｔ」を受信しなくても、移動局ＵＥに対する下りリンクにおけるスケジューリング処理を開始することができる。
【００６１】
本実施形態の第２の特徴は、移動局ＵＥの無線基地局ｅＮＢ＃１配下のセルから無線基地局ｅＮＢ＃２配下のセルへの再接続手順を実行する移動通信方法であって、かかる再接続手順において、無線基地局ｅＮＢ＃２が、かかる再接続手順が「Ｆｕｌｌ  ｃｏｎｆｉｇｕｒａｔｉｏｎ」を伴う再接続手順であると判断した場合（無線基地局ｅＮＢ＃１で用いられていた全ての設定を一旦削除する必要があると判断した場合）に、移動局ＵＥからの「ＰＤＣＰ  ｓｔａｔｕｓ  ｒｅｐｏｒｔ」の受信を待つことなく、移動局ＵＥに対する下りリンクスケジューリングを開始する工程を有することを要旨とする。
【００６２】
かかる特徴によれば、「Ｆｕｌｌ  ｃｏｎｆｉｇｕｒａｔｉｏｎ」を伴う再接続手順において、再接続先無線基地局である無線基地局ｅＮＢ＃２は、移動局ＵＥからの「ＰＤＣＰ  ｓｔａｔｕｓ  ｒｅｐｏｒｔ」を受信しなくても、移動局ＵＥに対する下りリンクにおけるスケジューリング処理を開始することができる。
【００６３】
本実施形態の第３の特徴は、移動局ＵＥの無線基地局ｅＮＢ＃１配下のセルから無線基地局ｅＮＢ＃２配下のセルへのハンドオーバ手順を実行することができるように構成されている移動通信システムにおいて無線基地局ｅＮＢ＃２として動作することができる無線基地局ｅＮＢであって、かかるハンドオーバ手順において、かかるハンドオーバ手順が「Ｆｕｌｌ  ｃｏｎｆｉｇｕｒａｔｉｏｎ」を伴うハンドオーバ手順であると判断した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されているスケジューリング部１２を具備することを要旨とする。
【００６４】
かかる特徴によれば、「Ｆｕｌｌ  ｃｏｎｆｉｇｕｒａｔｉｏｎ」を伴うハンドオーバ手順において、ハンドオーバ先無線基地局である無線基地局ｅＮＢ＃２は、移動局ＵＥからの「ＰＤＣＰ  ｓｔａｔｕｓ  ｒｅｐｏｒｔ」を受信しなくても、移動局ＵＥに対する下りリンクにおけるスケジューリング処理を開始することができる。
【００６５】
本実施形態の第４の特徴は、移動局ＵＥの無線基地局ｅＮＢ＃１配下のセルから無線基地局ｅＮＢ＃２配下のセルへの再接続手順を実行することができるように構成されている移動通信システムにおいて無線基地局ｅＮＢ＃２として動作することができる無線基地局ｅＮＢであって、かかる再接続手順において、かかる再接続手順が「Ｆｕｌｌ  ｃｏｎｆｉｇｕｒａｔｉｏｎ」を伴う再接続手順であると判断した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されているスケジューリング部１２を具備することを要旨とする。
【００６６】
かかる特徴によれば、「Ｆｕｌｌ  ｃｏｎｆｉｇｕｒａｔｉｏｎ」を伴う再接続手順において、再接続先無線基地局である無線基地局ｅＮＢ＃２は、移動局ＵＥからの「ＰＤＣＰ  ｓｔａｔｕｓ  ｒｅｐｏｒｔ」を受信しなくても、移動局ＵＥに対する下りリンクにおけるスケジューリング処理を開始することができる。
【００６７】
本実施形態の第３の特徴において、スケジューリング部１２は、無線基地局ｅＮＢ＃１から受信した「ＨＯ  ｒｅｑｕｅｓｔ（ハンドオーバ要求信号）」に含まれる「ＡＳ  ｒｅｌｅａｓｅ（リリース情報）」に基づいて、無線基地局ｅＮＢ＃１が無線基地局ｅＮＢ＃２（無線基地局ｅＮＢ）よりも新しいリリースであると判定した場合に、かかるハンドオーバ手順が「Ｆｕｌｌ  ｃｏｎｆｉｇｕｒａｔｉｏｎ」を伴うハンドオーバ手順であると判断するように構成されていてもよい。
【００６８】
かかる特徴によれば、無線基地局ｅＮＢ＃２は、無線基地局ｅＮＢ＃１が無線基地局ｅＮＢ＃２よりも新しいリリースである場合に、「Ｆｕｌｌ  ｃｏｎｆｉｇｕｒａｔｉｏｎ」を伴うハンドオーバ手順を実行することで、無線基地局ｅＮＢ＃２において対応していない「ｃｏｎｆｉｇｕｒａｔｉｏｎ」を無線基地局ｅＮＢ＃１から引き継いでしまうという事態を回避することができる。
【００６９】
本実施形態の第３の特徴において、スケジューリング部１２は、無線基地局ｅＮＢ＃１から受信した「ＨＯ  ｒｅｑｕｅｓｔ」によって無線基地局ｅＮＢ＃２において対応されていない「ｃｏｎｆｉｇｕｒａｔｉｏｎ（設定情報）」が通知された場合に、かかるハンドオーバ手順が「Ｆｕｌｌ  ｃｏｎｆｉｇｕｒａｔｉｏｎ」を伴うハンドオーバ手順であると判断するように構成されていてもよい。
【００７０】
かかる特徴によれば、無線基地局ｅＮＢ＃２は、無線基地局ｅＮＢ＃１から受信した「ＨＯ  ｒｅｑｕｅｓｔ」によって無線基地局ｅＮＢ＃２において対応されていない「ｃｏｎｆｉｇｕｒａｔｉｏｎ」が通知された場合に、「Ｆｕｌｌ  ｃｏｎｆｉｇｕｒａｔｉｏｎ」を伴うハンドオーバ手順を実行することで、無線基地局ｅＮＢ＃２において対応していない「ｃｏｎｆｉｇｕｒａｔｉｏｎ」を無線基地局ｅＮＢ＃１から引き継いでしまうという事態を回避することができる。
【００７１】
本実施形態の第３の特徴において、スケジューリング部１２は、上述のハンドオーバ手順において、ＲＬＣ-ＡＭがマッピングされているベアラに対して下りパスの識別子が指定されていない（データ転送が実施されない）場合に、かかるハンドオーバ手順が「Ｆｕｌｌ  ｃｏｎｆｉｇｕｒａｔｉｏｎ」を伴うハンドオーバ手順であると判断するように構成されていてもよい。
【００７２】
かかる特徴によれば、無線基地局ｅＮＢ＃２は、無線基地局ｅＮＢ＃１から無線基地局ｅＮＢ＃２に対して移動局ＵＥ宛ての下りリンクデータの転送が困難な無線基地局ｅＮＢ間のハンドオーバ（すなわち、ベアラの設定を引き継ぐことができないようなハンドオーバ）において、「Ｆｕｌｌ  ｃｏｎｆｉｇｕｒａｔｉｏｎ」を伴うハンドオーバ手順を実行することで、無線基地局ｅＮＢ＃２において対応していない「ｃｏｎｆｉｇｕｒａｔｉｏｎ」を無線基地局ｅＮＢ＃１から引き継いでしまうという事態を回避することができる。
【００７３】
本実施形態の第３及び第４の特徴において、スケジューリング部１２は、ＲＡＣＨ手順（ランダムアクセス手順）が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００７４】
かかる特徴によれば、無線基地局ｅＮＢ＃２は、適切なタイミングで、移動局ＵＥに対する下りリンクスケジューリングを開始することができる。
【００７５】
本実施形態の第３の特徴において、スケジューリング部１２は、上述のハンドオーバ手順が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００７６】
かかる特徴によれば、無線基地局ｅＮＢ＃２は、適切なタイミングで、移動局ＵＥに対する下りリンクスケジューリングを開始することができる。
【００７７】
本実施形態の第４の特徴において、スケジューリング部１２は、上述の再接続手順が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００７８】
かかる特徴によれば、無線基地局ｅＮＢ＃２は、適切なタイミングで、移動局ＵＥに対する下りリンクスケジューリングを開始することができる。
【００７９】
本実施形態の第３の特徴において、スケジューリング部１２は、無線基地局ｅＮＢ＃１からの移動局ＵＥ用の下りデータの転送が完了した場合に、移動局ＵＥからの「ＰＤＣＰ  ｓｔａｔｕｓ  ｒｅｐｏｒｔ」の受信を待つことなく、移動局ＵＥに対する下りリンクスケジューリングを開始するように構成されていてもよい。
【００８０】
かかる特徴によれば、無線基地局ｅＮＢ＃２は、適切なタイミングで、移動局ＵＥに対する下りリンクスケジューリングを開始することができる。
【００８１】
なお、上述の移動局ＵＥ及び無線基地局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ＃１/ｅＮＢ＃２内に設けられていてもよい。また、かかる記憶媒体及びプロセッサは、ディスクリートコンポーネントとして移動局ＵＥ及び無線基地局ｅＮＢ＃１/ｅＮＢ＃２内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８５】
ＵＥ…移動局
ｅＮＢ＃１/ｅＮＢ＃２…無線基地局
１１…制御部
１２…スケジューリング部
１３…送信部
１４…受信部
【図１】
2015080036.tif 000003
【図２】
2015080036.tif 000004
【図３】
2015080036.tif 000005
【図４】
2015080036.tif 000006
【図５】
2015080036.tif 000007
【図６】
2015080036.tif 000008